Podtech/llm-jp-corpus-v4-ja_patent huggingface dataset:
【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
印刷装置と双方向通信可能で、印刷ジョブを生成可能な情報処理装置であって、
印刷ジョブを管理するための管理データであることを示すヘッダが付加された管理データ、及び、印刷データであることとデータサイズとが示されたヘッダが付加された印刷データを含む印刷ジョブを生成する生成手段と、
前記管理データ、及び、前記印刷データの前記印刷装置への送出を行わせる送出制御手段とを有し、
前記印刷装置では、受信したデータのヘッダを解析し、入力されたジョブデータが管理データであると判断された場合に、入力データを管理データとしてい管理情報格納領域に格納し、入力されたデータが印刷データであると判断された場合にヘッダが示すデータサイズに基づく印刷データの読み飛ばしを行い、印刷データとして印刷データ格納領域に格納する処理が行われることを特徴とする情報処理装置。
【請求項２】
前記印刷装置の管理情報格納領域に格納された管理データを要求する要求手段と、
前記要求手段の要求に基づき前記印刷装置から応答される管理データを取得する取得手段とを有することを特徴とする請求項１に記載の情報処理装置。
【請求項３】
前記生成手段は、印刷ジョブとして、前記ヘッダが付加された印刷データパケットで生成することを特徴とする請求項１又は２に記載の情報処理装置。
【請求項４】
前記生成手段は、前記印刷データが所定値よりも大きい場合に、前記印刷データパケットを分割して複数個生成することを特徴とする請求項３に記載の情報処理装置。
【請求項５】
前記管理データには、前記印刷装置に入力された印刷ジョブに対するジョブ制御の権限情報が含まれており、前記送出制御手段は、前記権限情報を含めた管理データの前記印刷装置への送出を行わせることを特徴とする請求項１乃至４の何れかに記載の情報処理装置。
【請求項６】
前記管理データにはジョブ名又はユーザ名が含まれることを特徴とする請求項１乃至５の何れかに記載の情報処理装置。
【請求項７】
前記印刷データはラスタライズ処理前のデータであることを特徴とする請求項１乃至６の何れかに記載の情報処理装置。
【請求項８】
印刷装置と双方向通信可能で、印刷ジョブを生成可能な情報処理装置における印刷ジョブ処理方法であって、
印刷ジョブを管理するための管理データであることを示すヘッダが付加された管理データ、及び、印刷データであることとデータサイズとが示されたヘッダが付加された印刷データを含む印刷ジョブを生成する生成工程と、
前記管理データ、及び、前記印刷データの前記印刷装置への送出を行わせる送出制御工程とを有し、
前記印刷装置では、受信したデータのヘッダを解析し、入力されたジョブデータが管理データであると判断された場合に、入力データを管理データとしてい管理情報格納領域に格納し、入力されたデータが印刷データであると判断された場合にヘッダが示すデータサイズに基づく印刷データの読み飛ばしを行い、印刷データとして印刷データ格納領域に格納する処理が行われることを特徴とする印刷ジョブ処理方法。
【請求項９】
前記印刷装置の管理情報格納領域に格納された管理データを要求する要求工程と、
前記要求工程の要求に基づき前記印刷装置から応答される管理データを取得する管理データ取得工程とを有することを特徴とする請求項８に記載の印刷ジョブ処理方法。
【請求項１０】
前記生成工程は、印刷ジョブとして、前記ヘッダが付加された印刷データパケットで生成することを特徴とする請求項８又は９に記載の印刷ジョブ処理方法。
【請求項１１】
前記生成工程は、前記印刷データが所定値よりも大きい場合に、前記印刷データパケットを分割して複数個生成することを特徴とする請求項１０に記載の印刷ジョブ処理方法。
【請求項１２】
前記管理データには、前記印刷装置に入力された印刷ジョブに対するジョブ制御の権限情報が含まれており、前記送出制御工程は、前記権限情報を含めた管理データの前記印刷装置への送出を行わせることを特徴とする請求項８乃至１１の何れかに記載の印刷ジョブ処理方法。
【請求項１３】
前記管理データにはジョブ名又はユーザ名が含まれることを特徴とする請求項８乃至１２の何れかに記載の印刷ジョブ処理方法。
【請求項１４】
前記印刷データはラスタライズ処理前のデータであることを特徴とする請求項８乃至１３の何れかに記載の印刷ジョブ処理方法。
【請求項１５】
請求項８乃至１４の何れかに記載の印刷ジョブ処理方法をコンピュータに実行させるためのプログラムをコンピュータ可読の形態で記憶した記憶媒体。
【手続補正２】
【補正対象書類名】明細書
【補正対象項目名】発明の名称
【補正方法】変更
【補正の内容】
【発明の名称】情報処理装置、印刷ジョブ処理方法、及び、記憶媒体
【手続補正３】
【補正対象書類名】明細書
【補正対象項目名】０００１
【補正方法】変更
【補正の内容】
【０００１】
本発明は、情報処理装置から送信された印刷ジョブを印刷出力するよう制御する印刷制御装置と通信可能な情報処理装置、その印刷ジョブ処理方法、及び記憶媒体に関する。
【手続補正４】
【補正対象書類名】明細書
【補正対象項目名】００３１
【補正方法】削除
【補正の内容】
【手続補正５】
【補正対象書類名】明細書
【補正対象項目名】００３３
【補正方法】変更
【補正の内容】
【００３３】
すなわち、印刷ジョブを管理するための管理データであることを示すヘッダが付加された管理データ、及び、印刷データであることとデータサイズとが示されたヘッダが付加された印刷データを含む印刷ジョブを生成する生成手段と、前記管理データ、及び、前記印刷データの前記印刷装置への送出を行わせる送出制御手段とを有し、前記印刷装置では、受信したデータのヘッダを解析し、入力されたジョブデータが管理データであると判断された場合に、入力データを管理データとしてい管理情報格納領域に格納し、入力されたデータが印刷データであると判断された場合にヘッダが示すデータサイズに基づく印刷データの読み飛ばしを行い、印刷データとして印刷データ格納領域に格納する処理が行われることを特徴とする、印刷装置と双方向通信可能な情報処理装置を提供する。
【手続補正６】
【補正対象書類名】明細書
【補正対象項目名】００３４
【補正方法】変更
【補正の内容】
【００３４】
或いは、印刷ジョブを管理するための管理データであることを示すヘッダが付加された管理データ、及び、印刷データであることとデータサイズとが示されたヘッダが付加された印刷データを含む印刷ジョブを生成する生成工程と、前記管理データ、及び、前記印刷データの前記印刷装置への送出を行わせる送出制御工程とを有し、前記印刷装置では、受信したデータのヘッダを解析し、入力されたジョブデータが管理データであると判断された場合に、入力データを管理データとしてい管理情報格納領域に格納し、入力されたデータが印刷データであると判断された場合にヘッダが示すデータサイズに基づく印刷データの読み飛ばしを行い、印刷データとして印刷データ格納領域に格納する処理が行われることを特徴とする、印刷装置と双方向通信可能で、印刷ジョブを生成可能な情報処理装置における印刷ジョブ処理方法を提供する。
【手続補正書】
【提出日】平成17年10月18日(2005.10.18)
【手続補正１】
【補正対象書類名】特許請求の範囲
【補正対象項目名】全文
【補正方法】変更
【補正の内容】
【特許請求の範囲】
【請求項１】
倒置された円筒状の回転ドラム内に焙煎対象を搬入した状態で、当該回転ドラムを回転させながら焙煎対象を焙煎する焙煎装置であって、
前記回転ドラムは、
回転ドラム本体の一端に形成されており前記焙煎対象を搬入及び搬出をするための開口部から、回転ドラム本体の他端に向けて拡がるテーパ部の内壁に取り付けられており、前記焙煎対象の搬出を誘導する誘導部材を備えることを特徴とする焙煎装置。
【請求項２】
前記誘導部材は、台形状板の平行辺の各々が曲線状になる態様で丸めて、前記平行辺の長辺を前記テーパ部の先端側にして取り付けていることを特徴とする請求項１記載の焙煎装置。
【請求項３】
前記テーパ部の傾斜角は、前記回転ドラムの回転軸に対して２０°から２５°の範囲であることを特徴とする請求項１又は２記載の焙煎装置。
【請求項４】
前記網部は、複数のステンレス線を互いに直交させて、各開口の大きさが前記焙煎対象よりも小さくなるようにしていることを特徴とする請求項１から３のいずれか記載の焙煎装置。
【請求項５】
前記回転ドラム本体の一端と前記回転ドラム本体の他端との間に位置する網部と、
前記網部の内壁に取り付けられており当該誘導部材から回転ドラム本体の他端に向けて延びる螺旋状の撹拌材とを備えることを特徴とする請求項１から４のいずれか記載の焙煎装置。
【請求項６】
前記回転ドラムは、ステンレスから成ることを特徴とする請求項１から５のいずれか記載の焙煎装置。
【手続補正書】
【提出日】平成17年11月4日(2005.11.4)
【手続補正１】
【補正対象書類名】明細書
【補正対象項目名】００２３
【補正方法】変更
【補正の内容】
【００２３】
次に、リールユニット１４の構成について説明する。図２はリールユニット１４の全体斜視図、図３はドットユニットの斜視図、図４はシャッタユニットの斜視図、図５はモータユニットの斜視図である。また、図６は図２において駆動ギア４５を取り外した状態の部分斜視図、図７は図６において支持壁１１１Ｒなどを取り外した状態の部分斜視図、図８は図２において左側の支持壁１１１Ｌを取り外した状態を左斜め後ろから見た部分斜視図である。
【手続補正２】
【補正対象書類名】明細書
【補正対象項目名】００３０
【補正方法】変更
【補正の内容】
【００３０】
また、右シャッタフレーム７３Ｒの他方端部には、貫通孔７５Ｒから所定寸法離れた位置に支持軸７７が設けられている。この支持軸７７には、シャッタカム７９の一端が回動自在に軸支されている。このシャッタカム７９は、支持軸７７側の一端から直線状に延びるとともに、この直線の途中から円弧状に折れ曲がってほぼＴ字形状に形成されている。このシャッタカム７９には、駆動ギア４５に突設された駆動軸体４９が嵌挿する駆動ガイド孔８１が透設されている。この駆動ガイド孔８１は、支持軸７７を通る直線上に形成された短い直線部８１ａおよびこの直線部８１ａから折れ曲がって円弧状に形成された円弧部８１ｂを有する。このシャッタカム７９の駆動ガイド孔８１の円弧部８１ｂは、ドットカム６３の駆動ガイド孔６５の円弧部６５ｂと同一曲率で形成されている。また、シャッタカム７９上の直線部８１ａに対して支持軸７７と反対側には、ガイド軸体８３が突設されている。
【手続補正３】
【補正対象書類名】図面
【補正対象項目名】図１３
【補正方法】変更
【補正の内容】
【図１３】
2005245527.tif 000001
【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
外周が円形状のロータと、該ロータの回転軸に対して所定の角度を有し、且つ多数の試験管を保持可能な試験管挿入穴の設けられている遠心分離機用アングルロータにおいて、
前記回転軸に対して所定の角度を有すると共に前記回転軸に対し対称となるよう複数の平面を設け、該複数の平面には前記試験管挿入穴を一直線状に設けたことを特徴とした遠心分離機用アングルロータ。
【請求項２】
前記回転軸と前記複数の平面の所定の角度は２０°〜７０°であることを特徴とした請求項１記載の遠心分離機用アングルロータ。
【請求項３】
前記試験管挿入穴の間隔は、連形試験管の試験管間隔と同一であることを特徴とした請求項１記載の遠心分離機用アングルロータ。
【請求項４】
前記試験管挿入穴の下部を逆円錐形状にすることを特徴とした請求項１記載の遠心分離機用アングルロータ。
【請求項５】
前記ロータの使用回転数は少なくとも８千回転／分であることを特徴とした請求項１記載の遠心分離機用アングルロータ。
【手続補正書】
【提出日】平成17年5月16日(2005.5.16)
【手続補正１】
【補正対象書類名】明細書
【補正対象項目名】特許請求の範囲
【補正方法】変更
【補正の内容】
【特許請求の範囲】
【請求項１】
アルカリ金属、アルカリ土類金属及び鉄の含量がそれぞれ０．３ｗｔ％以下であり、臭素の含量が３ｗｔ％以上であることを特徴とする臭素添着活性炭。
【請求項２】
活性炭中の臭素と反応し得るアルカリ金属、アルカリ土類金属及び鉄の含量がそれぞれ０．２ｗｔ％以下とした活性炭に、臭素の含量が３ｗｔ％以上で添着されてなることを特徴とする臭素添着活性炭。
【請求項３】
活性炭中の臭素と反応し得るアルカリ金属、アルカリ土類金属及び鉄の含量をそれぞれ０．２ｗｔ％以下とする手段が、水又は酸と水による洗浄である請求項２記載の臭素添着活性炭。
【請求項４】
酸が塩酸、リン酸、硝酸および硫酸から選択される無機酸である請求項３に記載の臭素添着活性炭。
【請求項５】
アルカリ金属、アルカリ土類金属及び鉄の含量がそれぞれ０．３ｗｔ％以下であり、臭素の含量が３ｗｔ％以上である臭素添着活性炭を用いて硫化アルキル類を吸着／除去する方法。
【請求項６】
アルカリ金属、アルカリ土類金属及び鉄の含量がそれぞれ０．３ｗｔ％以下であり、臭素の含量が３ｗｔ％以上である臭素添着活性炭からなる硫化アルキル類の吸着／除去剤。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
回転子本体の先端軸芯部に、該回転子本体よりも径小な摩擦撹拌用プローブが一体に設けられた摩擦撹拌接合用ツールを用い、第１ワークと第２ワークとの突き合わせ部に、両ワークの肉に及ぶように前記ツールの撹拌用プローブを作用せしめると共に、回転子本体と撹拌用プローブとの間のショルダー部の少なくとも外周縁部を両ワークに跨がるように当接せしめ、両ワークを接合する摩擦撹拌接合によるワークの接合方法であって、
前記両ワークは、その突き合わせ部に沿う領域が、前記ショルダー部の直径範囲前後の両ワークに跨がる幅領域においてツール側に隆起した厚肉部に形成され、該厚肉部は、その肉厚が、突き合わせ部側からショルダーの外周側に向けて漸次小さくなっていくように傾斜して形成されていることを特徴とする摩擦撹拌接合によるワークの接合方法。
【請求項２】
前記回転子のショルダーは、その外周縁からプローブ側に向けてくぼんでいくように傾斜されている請求項１に記載の摩擦撹拌接合によるワークの接合方法。
【請求項３】
前記厚肉部のツール側の面が、撹拌用プローブの直径範囲前後の両ワークに跨がる幅領域において、平坦に形成されている請求項１または２に記載の摩擦撹拌接合によるワークの接合方法。
【請求項４】
前記ショルダーの外周側に向けて肉厚が漸次小さくなっていくような傾斜は円弧状の傾斜である請求項３に記載の摩擦撹拌接合によるワークの接合方法。
【請求項５】
前記ショルダーの外周側に向けて肉厚が漸次小さくなっていくような傾斜は直線的な傾斜である請求項３に記載の摩擦撹拌接合によるワークの接合方法。
【請求項６】
各厚肉部の幅は、回転子本体のショルダーの外径の０．５〜０．６倍の範囲である請求項１から５のいずれか１項に記載の摩擦撹拌接合によるワークの接合方法。
【請求項７】
平坦面の幅は、プローブの直径の０．４５〜０．６５倍である請求項３から６のいずれか１項に記載の摩擦撹拌接合によるワークの接合方法。
【請求項８】
請求項１から７のいずれか１項に記載の摩擦撹拌接合によるワークの接合方法により接合された接合品。
【手続補正書】
【提出日】平成16年5月10日(2004.5.10)
【手続補正１】
【補正対象書類名】明細書
【補正対象項目名】００１６
【補正方法】変更
【補正の内容】
【００１６】
ｑ＝（Ｖ・Ｉ）／（Ｓ・ｔ）            （１）
またこの柱状部分の電気抵抗Ｒは、次式で求められる。
Ｒ＝（ｒ・ｔ）／Ｓ                  （２）
（２）式をＳについて解いてこれを（１）式に代入すると、
ｑ＝（Ｖ・Ｉ・Ｒ）／（ｒ・ｔ2）
＝（Ｖ2）／（ｒ・ｔ2）              （３）となる。
【手続補正書】
【提出日】平成16年7月20日(2004.7.20)
【手続補正１】
【補正対象書類名】明細書
【補正対象項目名】特許請求の範囲
【補正方法】変更
【補正の内容】
【特許請求の範囲】
【請求項１】
回転子本体の先端軸芯部に、該回転子本体よりも径小な摩擦撹拌用プローブが一体に設けられた摩擦撹拌接合用ツールであって、
前記撹拌用プローブが、その先端から基端がわに向けて径を大きくしていく円錐状部を有することを特徴とする摩擦撹拌接合用の回転ツール。
【請求項２】
前記プローブは、前記円錐状部と、該円錐状部の基端側に連設された、円錐状部よりも径大な円柱状部とを備えている請求項１に記載の摩擦撹拌接合用の回転ツール。
【請求項３】
前記円錐状部は、錐面の傾斜角度が３０〜４５°の範囲において設定されている請求項１または２に記載の摩擦撹拌接合用の回転ツール。
【請求項４】
前記円錐状部と前記円柱状部の外周面にはねじが形成されている請求項２に記載の摩擦撹拌接合用の回転ツール。
【請求項５】
第１ワークの一方の面に第２ワークを組み合わせ、第１ワークのもう一方の面がわから請求項１のツールを第２ワークの肉に及ぶように作用せしめ、第１ワークと第２ワークとを摩擦撹拌接合することを特徴とする摩擦撹拌接合による継手の形成方法。
【請求項６】
両腕となる第１ワークの一方の面に脚となる第２ワークを組み合わせ、第１ワークのもう一方の面がわから請求項１のツールを第２ワークの肉に及ぶように作用せしめ、第１ワークと第２ワークとを摩擦撹拌接合することを特徴とする摩擦撹拌接合によるＴ継手の形成方法。
【請求項７】
前記請求項１のツールにおけるプローブは、円錐状部と、該円錐状部の基端側に連設された、円錐状部よりも径大な円柱状部とを備え、前記円錐状部の直径は、前記第２ワークの板厚の１〜２倍に設定されている請求項６に記載の摩擦撹拌接合によるＴ継手の形成方法。
【手続補正書】
【提出日】平成16年6月7日(2004.6.7)
【手続補正１】
【補正対象書類名】明細書
【補正対象項目名】００２７
【補正方法】変更
【補正の内容】
【００２７】
因みに、図３に示すようにギヤ比が１：１：３に設定された従来の研磨装置においては、定盤４の外周半径は４５０ｍｍ、内周半径は１５０ｍｍであって、作業面の幅Ｈが本発明と同じ３００ｍｍであっても、この作業面上には５枚のキャリヤ１しか載せることができず、一度に処理できるワーク６の枚数は２５枚にしか過ぎない。
しかも、１枚のセグメント砥石５の内周側の砥石幅は約４７ｍｍで、ワークの直径の約半分であるため、ロール・オフが発生し易いことが分かる。
【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
傾斜磁場発生系を含む靜磁場発生系、被検体に照射する高周波送信コイルを含む送信系、前記被検体からの磁気共鳴信号を検出する高周波受診コイルを含む受信系、前記検出信号により前記被検体の物理的特性画像を得る信号処理系、及び、静電磁場発生手段を内蔵する装置本体、並びに、横臥した前記被検体を保持する寝台と、を有する磁気共鳴イメージング装置であって、
前記静磁場発生系による発生磁束と直交する前記装置本体の所定位置方向に対し、前記寝台の長手方向が略直角の関係を保持するごとく、前記装置本体と前記寝台とが配置され、該寝台が前記所定位置に移送されることを特徴とする磁気共鳴イメージング装置。
【請求項２】
前記寝台を前記所定位置に移送する第１の移動調整手段を有し、該第１の移動調整手段は、
前記寝台上に前記被検体を載置する天板と、
前記寝台上に沿って該天板を前記被検体の撮影可能位置まで移動させる案内手段と、
前記寝台を前記装置本体に固定する接続手段と、
前記寝台を支持し移動する車輪を有することを特徴とする請求項１記載の磁気共鳴イメージング装置。
【請求項３】
前記寝台は、さらに前記所定位置方向に対し、前記寝台の長手方向が略平行の関係を保持するごとく、前記装置本体に対して配置可能であり、該寝台を挿入方向と略直交方向にスライドさせる第２の移動調整手段をさらに有することを特徴とする請求項１記載の磁気共鳴イメージング装置。
【請求項４】
前記第２の移動調整手段は、前記装置本体、及び、前記寝台の間に配置され、前記寝台全体が該寝台の長手方向と略直角の方向に移動可能のように案内するガイド及びレールを備えていることを特徴とする請求項３記載の磁気共鳴イメージング装置。
【手続補正書】
【提出日】平成16年7月16日(2004.7.16)
【手続補正１】
【補正対象書類名】明細書
【補正対象項目名】発明の名称
【補正方法】変更
【補正の内容】
【発明の名称】磁気共鳴イメージング装置
【手続補正２】
【補正対象書類名】明細書
【補正対象項目名】特許請求の範囲
【補正方法】変更
【補正の内容】
【特許請求の範囲】
【請求項１】
静磁場内に置かれた被検体に所定のパルスシーケンスで高周波磁場および傾斜磁場を印加して前記被検体の選択されたスライスからの核磁気共鳴信号を検出する撮像手段と、前記撮像手段で得られた核磁気共鳴信号に基づき前記被検体の断層像を画像再構成する信号処理手段と、前記断層像を表示する画像表示手段とを備え、複数のスライスについて断層像のマルチスライス撮像、再構成及び画像表示を連続して行い、複数のスライスの断層像を同時表示することを特徴とする磁気共鳴イメージング装置。
【請求項２】
前記複数のスライスが、互いに交差するスライスであることを特徴とする請求項１記載の磁気共鳴イメージング装置。
【請求項３】
前記複数のスライスは、ステレオ対をなす所定の角度で交差していることを特徴とする請求項２記載の磁気共鳴イメージング装置。
【請求項４】
前記複数のスライスが、互いに平行なスライスであることを特徴とする請求項１記載の磁気共鳴イメージング装置。
【請求項５】
前記画像表示手段は、前記ステレオ対をなすスライスの画像をサイクリック表示することを特徴とする請求項３記載の磁気共鳴イメージング装置。
【請求項６】
前記画像表示手段は、複数のスライスの画像のうちの１枚の画像の濃度に対する他の画像の濃度を低レベルに設定し、これら複数のスライスの画像を重ねて表示することを特徴とする請求項１記載の磁気共鳴イメージング装置。
【手続補正３】
【補正対象書類名】明細書
【補正対象項目名】０００６
【補正方法】変更
【補正の内容】
【０００６】
【課題を解決するための手段】
上記目的を達成するため、本発明のＭＲＩ装置は、静磁場内に置かれた被検体に所定のパルスシーケンスで高周波磁場および傾斜磁場を印加して前記被検体の選択されたスライスからの核磁気共鳴信号を検出する撮像手段と、前記撮像手段で得られた核磁気共鳴信号に基づき前記被検体の断層像を画像再構成する信号処理手段と、前記断層像を表示する画像表示手段とを備え、複数のスライスについて断層像のマルチスライス撮像、再構成及び画像表示を連続して行い、複数のスライスの断層像を同時表示することを特徴とする。
【手続補正４】
【補正対象書類名】明細書
【補正対象項目名】００１１
【補正方法】削除
【補正の内容】
【手続補正書】
【提出日】平成16年4月9日(2004.4.9)
【手続補正１】
【補正対象書類名】明細書
【補正対象項目名】請求項１
【補正方法】変更
【補正の内容】
【請求項１】
多数の遊技媒体を放出する遊技機が設置された遊技場に設けられた遊技場用管理システムであって、
遊技客に割り当てられたＩＤコードを含むデータを記憶した記憶担体から読取った個人情報同士をグループ化可能なグループ登録手段と、
前記遊技機と１対１で対応した位置に設けられ、前記記憶担体から個人情報を読取る読取手段と、
前記遊技機と１対１で対応した位置に設けられ、遊技媒体を計数可能な計数手段と、
前記読取手段が読取った個人情報が前記グループ登録手段によりグループ化されていたときは、前記計数手段の計数値を当該グループに対応して累計記憶可能な状態を呈するグループ用記憶手段と、
前記遊技機と１対１で対応した位置に設けられ、前記読取手段が前記記憶担体から読取った個人情報が前記グループ登録手段によりグループ化されていたときは、前記グループ用記憶手段が当該グループに対応して記憶している計数値に基づいて遊技媒体を放出すると共にその放出に応じて当該記憶計数値を更新可能な状態を呈する貸出手段とを備えたことを特徴とする遊技場用管理システム。
【手続補正２】
【補正対象書類名】明細書
【補正対象項目名】請求項３
【補正方法】変更
【補正の内容】
【請求項３】
多数の遊技媒体を放出する遊技機が設置された遊技場に設けられた遊技場用管理システムであって、
遊技客に割り当てられたＩＤコードを含むデータを記憶した記憶担体から読取った個人情報同士をグループ化可能なグループ登録手段と、
前記遊技機と１対１で対応した位置に設けられ、前記記憶担体から個人情報を読取る読取手段と、
前記遊技機と１対１で対応した位置に設けられ、遊技媒体を計数可能な計数手段と、
この計数手段の計数値を前記読取手段が読取った個人情報に対応して累計記憶可能な個人用記憶手段と、
前記遊技機と１対１で対応した位置に設けられ、前記読取手段が前記記憶担体から読取った個人情報が前記グループ登録手段によりグループ化されていたときは、前記個人用記憶手段が当該グループに含まれる個人情報に対応して記憶している計数値に基づいて遊技媒体を放出すると共にその放出に応じて当該記憶計数値を更新可能な状態を呈する貸出手段とを備えたことを特徴とする遊技場用管理システム。
【手続補正３】
【補正対象書類名】明細書
【補正対象項目名】０００８
【補正方法】変更
【補正の内容】
【０００８】
【課題を解決するための手段】
本発明は、多数の遊技媒体を放出する遊技機が設置された遊技場に設けられた遊技場用管理システムであって、遊技客に割り当てられたＩＤコードを含むデータを記憶した記憶担体から読取った個人情報同士をグループ化可能なグループ登録手段を設け、前記遊技機と１対１で対応した位置に、前記記憶担体から個人情報を読取る読取手段を設け、前記遊技機と１対１で対応した位置に、遊技媒体を計数可能な計数手段を設け、前記読取手段が読取った個人情報が前記グループ登録手段によりグループ化されていたときは、前記計数手段の計数値を当該グループに対応して累計記憶可能な状態を呈するグループ用記憶手段を設け、前記遊技機と１対１で対応した位置に、前記読取手段が前記記憶担体から読取った個人情報が前記グループ登録手段によりグループ化されていたときは、前記グループ用記憶手段が当該グループに対応して記憶している計数値に基づいて遊技媒体を放出すると共にその放出に応じて当該記憶計数値を更新可能な状態を呈する貸出手段を設けたものである（請求項１）。


【手続補正４】
【補正対象書類名】明細書
【補正対象項目名】００１４
【補正方法】変更
【補正の内容】
【００１４】
また、遊技客に割り当てられたＩＤコードを含むデータを記憶した記憶担体から読取った個人情報同士をグループ化可能なグループ登録手段を設け、前記遊技機と１対１で対応した位置に、前記記憶担体から個人情報を読取る読取手段を設け、前記遊技機と１対１で対応した位置に、遊技媒体を計数可能な計数手段を設け、この計数手段の計数値を前記読取手段が読取った個人情報に対応して累計記憶可能な個人用記憶手段を設け、前記遊技機と１対１で対応した位置に、前記読取手段が前記記憶担体から読取った個人情報が前記グループ登録手段によりグループ化されていたときは、前記個人用記憶手段が当該グループに含まれる個人情報に対応して記憶している計数値に基づいて遊技媒体を放出すると共にその放出に応じて当該記憶計数値を更新可能な状態を呈する貸出手段を設けるようにしてもよい（請求項３）。
このような構成によれば、遊技客が獲得した遊技媒体を計数手段により計数したときは、計数手段による計数値は個人用記憶手段に累計記憶される。
【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】図柄表示装置
【手続補正２】
【補正対象書類名】明細書
【補正対象項目名】特許請求の範囲
【補正方法】変更
【補正の内容】
【特許請求の範囲】
【請求項１】
当たり外れを表示するための図柄の手前側を透明ないし半透明のプラスチック製の保護カバーで覆った図柄表示装置において、
前記保護カバーの背面に、サーモクロミック液晶を主成分として形成されて温度変化に応じて変色する変色域を設け、
通電すると発熱する面発熱体を該変色域の背後に積層した
ことを特徴とする図柄表示装置。
【請求項２】
請求項１記載の図柄表示装置において、
前記変色域は、サーモクロミック液晶を含む液晶インクでフィルムに印刷したものを成型時転写にて前記保護カバーに転写して形成された
ことを特徴とする図柄表示装置。
【請求項３】
請求項１又は２記載の図柄表示装置において、
前記面発熱体への通電を制御する制御手段を備えたことを特徴とする図柄表示装置。
【請求項４】
請求項１、２又は３記載の図柄表示装置において、
３個のドラムをほぼ同軸に並置し、それらを独立に回転、停止させることによって、それらのドラムの表面に描かれている図柄の組合せにて当たり外れを表示する
ことを特徴とする図柄表示装置。
【請求項５】
請求項１〜４のいずれか１項に記載の図柄表示装置において、
前記面発熱体に通電するためのプリント配線が前記保護カバーの外周に沿って設けられた縁取りの背面に印刷されている
ことを特徴とする図柄表示装置。
【手続補正３】
【補正対象書類名】明細書
【補正対象項目名】０００４
【補正方法】変更
【補正の内容】
【０００４】
本発明は、遊技機に用いられる図柄表示装置おいて、明るい遊技店内でも十分に変色を認識され得る変色域を備えることにより装飾効果の向上を図るものである。
【手続補正４】
【補正対象書類名】明細書
【補正対象項目名】０００５
【補正方法】変更
【補正の内容】
【０００５】
【課題を解決するための手段および発明の効果】
上記課題を解決するための請求項１記載の図柄表示装置は、当たり外れを表示するための図柄の手前側を透明ないし半透明のプラスチック製の保護カバーで覆った図柄表示装置において、前記保護カバーの背面に、サーモクロミック液晶を主成分として形成されて温度変化に応じて変色する変色域を設け、通電すると発熱する面発熱体を該変色域の背後に積層したことを特徴とする。
温度変化に応じて変色する変色域は、サーモクロミックとして分類される機能性着色材によって形成できる。サーモクロミックには、液晶とロイコ系クロミック材とがあり、いずれも温度の変化によって可逆的に呈色（発色）〜消色を繰り返す。
【手続補正５】
【補正対象書類名】明細書
【補正対象項目名】０００６
【補正方法】変更
【補正の内容】
【０００６】
本発明ではサーモクロミック液晶、普通はサーモクロミック液晶をマイクロカプセル化したものが用いられ、その赤色成分、緑色成分、青色成分が呈色あるいは消色することにより、これらの色成分を組み合わせた色（透明−赤燈−黄−緑−青〜紫−透明）を呈することができる。また、その呈色、消色の境界となる温度（変色温度）の設定の自由度も高い。なお、背景色（下地色）によって液晶の呈色に不必要な可視光線を吸収させると液晶の呈色（変色）を視認しやすくなるので、黒あるいは黒に近い背景色とすると変色の効果を良好に表現できる。
【手続補正６】
【補正対象書類名】明細書
【補正対象項目名】００１０
【補正方法】変更
【補正の内容】
【００１０】
本発明の変色域は図柄表示装置の表示面保護用の透明板（保護カバー）に設けられるが、図柄表示装置の枠部分に設けることも可能である。また、同様の変色域を遊技機の機体表面、遊技球やメダルの受皿、各種のランプカバー、遊技盤の表面、遊技盤に設置されている入賞装置や風車等の障害部材、遊技機操作用のハンドル、レバー、ボタン等の操作部材に設けることも可能である。
【手続補正７】
【補正対象書類名】明細書
【補正対象項目名】００１３
【補正方法】変更
【補正の内容】
【００１３】
したがって、加熱手段としては、電気的な発熱を利用するものが好適である。そのような手段としては、電球、電熱線、面発熱体等が例示される。
電熱線を用いる場合、専用の電熱線を設置してもよいが、例えばＬＥＤ等への配線を発熱源として利用してもよい。また、例えばインサート成形や成型時転写等によってプラスチック部品の表面に電熱線や配線を付着させることもできる。
【手続補正８】
【補正対象書類名】明細書
【補正対象項目名】００１４
【補正方法】変更
【補正の内容】
【００１４】
面発熱体は、比較的広範囲あるいは不定形の領域を変色域とする場合に適しているので、本発明ではこれを採用している。面発熱体自体は公知であり様々なものがあるが、導電性の微粉末にて形成された網目状の導電層を有する面発熱体を用いると、次のような利点がある。
【手続補正９】
【補正対象書類名】明細書
【補正対象項目名】００１６
【補正方法】変更
【補正の内容】
【００１６】
このような面発熱体は、例えばマイカに金属めっきして導電性を付与した微粉末を用いて製造できる。このものは、マイカがフレーク状であって、そのマイカがランダムに重なり合って全体として一連の導電層を形成するので、導電層自体の信頼性が高く、例えば折り曲げなどによって断裂するおそれもない。
請求項５のように面発熱体に通電するための配線をプリント配線として保護カバーの外周に沿って設けられた縁取りの背面に印刷すると、プリント配線に見えなくできる。
【手続補正１０】
【補正対象書類名】明細書
【補正対象項目名】００１８
【補正方法】変更
【補正の内容】
【００１８】
本発明では透明ないし半透明のプラスチック製の保護カバーの背面（遊技者に向いている面とは反対の面）に変色域を設けるので、変色域が汚れたり傷つけられることがなく、その機能を長期にわたって維持できる。
【手続補正書】
【提出日】平成16年4月6日(2004.4.6)
【手続補正１】
【補正対象書類名】明細書
【補正対象項目名】０００９
【補正方法】変更
【補正の内容】
【０００９】
【課題を解決するための手段】
（１）前記目的を達成するため、本発明は、
基台上に第１の方向に向けスライド自在に形成されたスライド台と、
前記スライド台に前記第１の方向に向けて揺動自在に支持され、プレーヤが揺動操作する本体と、
前記本体を中立状態に復帰させる付勢手段と、
前記本体と前記基台との間に設けられたリンクアームと、
を含み、
前記スライド台を第１の方向にスライドさせながら前記本体を第１の方向に揺動させることを特徴とする。


【手続補正２】
【補正対象書類名】明細書
【補正対象項目名】００１４
【補正方法】変更
【補正の内容】
【００１４】
（２）本発明は、
（１）において、
前記リンクアームの取り付け方向を、
前記本体が前記中立状態にあるときに、前記本体の揺動中心を含む垂線上に位置する仮想中心に向けて設定することを特徴とする。


【手続補正３】
【補正対象書類名】明細書
【補正対象項目名】００１６
【補正方法】変更
【補正の内容】
【００１６】
この時、前記仮想中心の位置は以下の（３）のように設定することが好ましい。


【手続補正４】
【補正対象書類名】明細書
【補正対象項目名】００１７
【補正方法】変更
【補正の内容】
【００１７】
（３）本発明は、
（２）において、
前記仮想中心の位置を、
前記本体が前記中立状態にあるときに、前記本体の揺動中心を含む垂線上に位置し、かつ前記本体の重心位置とほぼ同じ高さ位置とすることを特徴とする。


【手続補正５】
【補正対象書類名】明細書
【補正対象項目名】００１９
【補正方法】変更
【補正の内容】
【００１９】
（４）本発明は、
（１）〜（３），（５）〜（７）のいずれかにおいて、
前記リンクアームの前記本体への取付け位置は、
前記本体の高さ方向に位置調整自在に形成されたことを特徴とする。


【手続補正６】
【補正対象書類名】明細書
【補正対象項目名】００２２
【補正方法】変更
【補正の内容】
【００２２】
（５）本発明は、
（１）〜（３）のいずれかにおいて、
前記付勢手段は、
前記スライド台と前記本体との間に設けられたことを特徴とする。


【手続補正７】
【補正対象書類名】明細書
【補正対象項目名】００２６
【補正方法】変更
【補正の内容】
【００２６】
（６）本発明は、
（１）〜（３），（５）のいずれかにおいて、
前記第１の方向は、
前記本体に乗ったプレーヤの前後方向に沿って設定されたことを特徴とする。


【手続補正８】
【補正対象書類名】明細書
【補正対象項目名】００２８
【補正方法】変更
【補正の内容】
【００２８】
（７）本発明は、
（６）において、
前記本体の揺動角を検出する角度検出手段を含み、
前記本体は、
動物の形状をなし、本体に跨ったプレーヤが前後に揺動駆動可能に形成され、  前記揺動駆動により、仮想空間内の前記動物の形をしたプレーヤキャラクタを操ることを特徴とする。
【手続補正書】
【提出日】平成16年7月9日(2004.7.9)
【手続補正１】
【補正対象書類名】明細書
【補正対象項目名】特許請求の範囲
【補正方法】変更
【補正の内容】
【特許請求の範囲】
【請求項１】
下糸供給源からの下糸をその先端から導出しボビンケース内のボビンに供給可能な下糸供給手段と、
この下糸供給手段の先端を、当該先端から導出する下糸がボビンケースの開口部からボビンケース内に挿入されるボビンケース開口部近傍の初期作業位置とこの初期作業位置から離間し下糸巻回を行う巻回作業位置とに移動可能な下糸供給移動手段と、
前記下糸供給手段の先端が巻回作業位置に位置する巻回作業時に、前記ボビンケース内のボビンを回転させるボビン回転手段と、
前記巻回作業時において、前記下糸供給手段の先端と前記ボビンケースとの間の供給下糸に当接して当該下糸の供給経路を折り曲げ、当該ボビンケース内に供給される下糸の挿入角を、ボビンケース内にて巻回されている下糸の外周部分がボビンケース開口部端に当接しない角度に設定する下糸ガイドと、
を具備した下糸巻回装置。
【請求項２】
下糸ガイドを、当該下糸ガイドが供給下糸に当接する作業位置とこの作業位置から離間した退避位置とに移動可能とする下糸ガイド移動手段を備えたことを特徴とする請求項１記載の下糸巻回装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００５５
【補正方法】削除
【補正の内容】
【手続補正書】
【提出日】平成16年7月21日(2004.7.21)
【手続補正１】
【補正対象書類名】明細書
【補正対象項目名】００２５
【補正方法】変更
【補正の内容】
【００２５】
ホツレ防止キャップ１５は、図４（１）に示すように、円板の周囲に壁部を一体化した形状であり、底部には、中心部に、ボビンの中心筒の内径より小さい径の小孔１５ａが穿設されており、またボビン吸着用のマグネット１６が設けられている。更に、周壁部外面にはボビン７’と共に取り外すときに便利なように、爪を掛けるための溝１５ｂが形成さている。ホツレ防止キャップ１５の底部外表面は、ボビン鍔部とは異なり（鍔部は縁側がテーパ状に薄くなっている）、まっ平らである。周壁部の高さは、その縁位置が、後述するセット状態で、ボビン７’の両鍔部から等距離となるようにする。
【手続補正書】
【提出日】平成16年5月13日(2004.5.13)
【手続補正１】
【補正対象書類名】明細書
【補正対象項目名】特許請求の範囲
【補正方法】変更
【補正の内容】
【特許請求の範囲】
【請求項１】
シートバックフレームの回りにシートパッドを配置してなるシートバック本体の周面を略袋状のトリムカバーで覆い、その背裏の所定箇所をシートバック本体に対して部分的に吊り込んで係止したシートバックであり、
前記シートバック本体の前面方向に立設された周壁を少なくとも上下に有する、左右方向に延びた壁付きスリットの設けられた係止プレートが、前記シートバック本体の背裏の吊り込み位置に少なくとも壁付きスリットの開口を整列、露出可能に、上記シートバックフレームの左右サイド間に架設、固定され、
外圧による強制的、かつ弾性的な縮幅のもとで前記壁付きスリットに開口から挿入でき、その挿入後における形状復元によって壁付きスリットの少なくとも上下いずれかの周壁の端末に離脱不能に係合するフック片を一体に有したフックプレートが、壁付きスリットに整列可能な位置でトリムカバーの背裏の内面に固着されるとともに、
前記壁付きスリットへの前記フックプレートの挿入の際のガイドとなる、前記フック片の係合可能な高さの段差が、壁付きスリットの開口の上端、下端間に設けられたことを特徴とするシートバックのトリムカバー吊り込み構造。
【請求項２】
シートバックフレームの回りにシートパッドを配置してなるシートバック本体の周面を、着座面サイドでの接着を伴って配設された略袋状のトリムカバーで覆い、その背裏の所定箇所をシートバック本体に対して部分的に吊り込んで係止した接着成形シートとしてなるシートバックであり、
前記シートバック本体の前面方向に立設された周壁を少なくとも上下に有する、左右方向に延びた壁付きスリットの設けられた係止プレートが、前記シートバック本体の背裏の吊り込み位置に少なくとも壁付きスリットの開口を整列、露出可能に、上記シートバックフレームの左右サイド間に架設、固定され、
外圧による強制的、かつ弾性的な縮幅のもとで前記壁付きスリットに開口から挿入でき、その挿入後における形状復元によって壁付きスリットの少なくとも上下いずれかの周壁の端末に離脱不能に係合するフック片を一体に有したフックプレートが、壁付きスリットに整列可能な位置でトリムカバーの背裏の内面に固着されるとともに、
前記壁付きスリットへの前記フックプレートの挿入の際のガイドとなる、前記フック片の係合可能な高さの段差が、壁付きスリットの開口の上端、下端間に設けられたことを特徴とするシートバックのトリムカバー吊り込み構造。
【請求項３】
係止プレートが、縦断面略逆台形状の左右方向に延びた凹部をシートバック本体の背裏サイドの面に有して形成され、壁付きスリットを、この凹部の底面で、底面の上下に位置するいずれかの側面に連続して設けることによって、壁付きスリットの開口の上端、下端間に段差を形成した請求項１または２記載のシートバックのトリムカバー吊り込み構造。
【請求項４】
係止プレートが、縦断面略逆三角形状の左右方向に延びた凹部をシートバック本体の背裏サイドの面に有して形成され、壁付きスリットを、この凹部の頂点部分で、上下のいずれかの側面に連続して設けることによって、壁付きスリットの開口の上端、下端間に段差を形成した請求項１または２記載のシートバックのトリムカバー吊り込み構造。
【請求項５】
壁付きスリットから下方をシートバック本体の背裏の吊り込み位置に整列、露出させて、係止プレートをシートバック本体に配設するとともに、壁付きスリットの開口の下端をその上端よりシートバック本体の前面サイドに位置させた請求項１ないし４のいずれか記載のシートバックのトリムカバー吊り込み構造。
【請求項６】
フックプレートが、外圧の作用のもとで縮幅方向に弾性変形可能なフック片を一端に有する側面略J形状に合成樹脂材料から成形された請求項１ないし５のいずれか記載のシートバックのトリムカバー吊り込み構造。
【請求項７】
シートバックフレームの回りにシートパッドを配置してなるシートバック本体の周面を略袋状のトリムカバーで覆い、その背裏の所定箇所をシートバック本体に対して部分的に吊り込んで係止したシートバックにおいて、
フック片を一体に有したフックプレートが、前記トリムカバーの背裏の内面に固着されるとともに、前記シートバックフレームに固定された係止プレートに、このフックプレートのフック片の挿入、係合可能なスリットが設けられ、
前記シートパッドの弾性力に抗して前記フックプレートのフック片を前記スリット内に押し込むことにより、この両者間が係合されることを特徴としたシートバックのトリムカバー吊り込み構造。
【請求項８】
前記係止プレートに設けられたスリットの下方を、前記フックプレートの押し込み方向前方に窪ませた請求項７記載のシートバックのトリムカバー吊り込み構造。
【手続補正２】
【補正対象書類名】明細書
【補正対象項目名】００１５
【補正方法】変更
【補正の内容】
【００１５】
図１、図２に示すように、この発明に係るシートバックのトリムカバー吊り込み構造10においては、スリット、たとえば壁付きスリット12の設けられた係止プレート14が、シートバックフレーム16の左右サイド間での架設、固定によってシートバック本体18に配設されるとともに、この係止プレートの壁付きスリットに挿入、係止可能なフックプレート20が、シートバック本体の周面を被覆するトリムカバー22の背裏の内面に固着されている。
【手続補正３】
【補正対象書類名】明細書
【補正対象項目名】００２８
【補正方法】変更
【補正の内容】
【００２８】
上記のように、この発明のシートバックのトリムカバー吊り込み構造10においては、フックプレート20を、略袋状のトリムカバー22の背裏外方から、係止プレートの壁付きスリット12（スリット）に挿入、係止すれば足りるため、トリムカバーの吊り込み作業の際における、トリムカバー内での手探り作業が不要となる。
【手続補正４】
【補正対象書類名】明細書
【補正対象項目名】００４８
【補正方法】変更
【補正の内容】
【００４８】
【発明の効果】
上記のように、この発明に係るシートバックのトリムカバー吊り込み構造によれば、フックプレートを、略袋状のトリムカバーの背裏外方から、係止プレートのスリット、具体的には壁付きスリットに挿入、係止すれば足りるため、トリムカバーの吊り込み作業の際における、トリムカバー内での手探り作業が不要となる。
【手続補正５】
【補正対象書類名】明細書
【補正対象項目名】００５２
【補正方法】変更
【補正の内容】
【００５２】
そして、底面を有する略逆台形状凹部、あるいはスリットの下方をフックプレートの押し込み方向前方に窪ませた略逆三角形状凹部を、凹部として係止プレートに設ければ、壁付きスリット（スリット）の位置の明確化がはかられるばかりでなく、凹部によって、係止プレートが補強されるため、構成の複雑化を伴うことなく、係止プレートの変形等の防止がはかられる。
【手続補正書】
【提出日】平成16年7月16日(2004.7.16)
【手続補正１】
【補正対象書類名】明細書
【補正対象項目名】特許請求の範囲
【補正方法】変更
【補正の内容】
【特許請求の範囲】
【請求項１】
複数の遊戯者が個々にゲームを実行するための複数のゲーム装置を互いに通信媒体を介して接続してネットワークを形成した通信ゲームシステムにおいて、
前記複数のゲーム装置のそれぞれは、
該ゲーム装置でゲームを行う遊戯者の音声を入力するマイクと、
前記マイクから入力された音声信号から第１のサウンドデータを生成するサウンドデータ生成手段と、
当該ゲーム装置におけるゲーム実行で生成されたゲームデータのパケットと、前記第１のサウンドデータのパケットとを前記複数のゲーム装置が交互に時分割で受信側ゲーム装置を指定せずに前記ネットワーク上に送信するとともに、
前記ネットワーク上で伝送されている他のゲーム装置から送信された前記パケットを受信する通信手段と、
前記受信パケット内の前記ゲームデータにアクセスし、前記ゲームを実行するゲームシステムボードと、
前記ゲームシステムボードで発生した第２のサウンドデータと、前記受信パケット内の第１のサウンドデータとを合成して音声として発生する音声発生手段と、
を備え、前記複数のゲーム装置間で前記パケットデータを送受信することを特徴とする通信ゲームシステム。
【請求項２】
請求項１において、
前記ゲーム装置は、前記ネットワーク上で伝送されている他のゲーム装置から送信されたパケットの中から必要なパケットを選択する手段を備えることを特徴とする通信ゲームシステム。
【請求項３】
請求項１または２において、
前記複数のゲーム装置の内の所定のゲーム装置は、
前記各ゲーム装置の動作タイミングを同期させる同期信号を前記ネットワーク上に送信する同期手段を備え、
前記同期信号はビデオのフレーム信号に同期させた信号であることを特徴とする通信ゲームシステム。
【請求項４】
請求項１乃至３において、
前記ゲームは同じ仮想空間内に複数の遊戯者のキャラクタが参加するゲームであって、
前記ネットワーク上で伝送されるゲームデータのパケットは前記キャラクタの座標データを含み、
前記音声発生手段は、
前記ネットワークから受信した前記座標データに基づき、前記ネットワークから受信したサウンドデータをステレオ信号に変換する手段を備えることを特徴とする通信ゲームシステム。
【請求項５】
請求項１乃至４において、
前記ゲーム装置でゲームを行う遊戯者を撮影するカメラと、
前記カメラにより撮影された映像からビデオデータを生成するビデオデータ生成手段を備え、
前記通信手段は更に、
前記ビデオデータのパケットを前記複数のゲーム装置が交互に時分割で受信側ゲーム装置を指定せずに前記ネットワーク上に送信し、
前記ゲームシステムボードで生成したゲーム映像データと、前記受信パケット内のビデオデータとを合成してモニタに画像表示する画像表示手段を備える、
ことを特徴とする通信ゲームシステム。
【請求項６】
請求項５において、
前記ゲームは複数の遊戯者が対戦するゲームであって、
対戦結果である順位に対応して前記遊戯者の映像の表示位置または拡大率を変更することを特徴とする通信ゲームシステム。
【手続補正書】
【提出日】平成16年4月7日(2004.4.7)
【手続補正１】
【補正対象書類名】明細書
【補正対象項目名】特許請求の範囲
【補正方法】変更
【補正の内容】
【特許請求の範囲】
【請求項１】
ゲーム音を生成するゲーム装置であって、
周囲音を検出する検出手段と、
検出された周囲音を解析する解析手段と、
ゲーム音を生成する音生成手段と、
周囲音の解析結果に基づいて、ゲーム音により行われる情報の伝達を音以外の情報の伝達により補助する補助手段とを含むことを特徴とするゲーム装置。
【請求項２】
請求項１において、
前記音以外の情報が、視覚情報であり、
前記補助手段が、
前記解析手段での解析結果に基づき周囲音が大きいと判断された場合には、ゲーム音により伝達されるべき情報を、前記視覚情報により伝達することを特徴とするゲーム装置。
【請求項３】
請求項２において、
前記視覚情報が、ゲーム音に含まれる音声に対応する文字情報であり、
前記補助手段が、
前記解析手段での解析結果に基づき周囲音が大きいと判断された場合には、ゲーム音により伝達されるべき情報を、前記文字情報により伝達することを特徴とすることを特徴とするゲーム装置。
【請求項４】
請求項１乃至３のいずれかにおいて、
前記音以外の情報が、プレーヤに与える体感情報であり、
前記補助手段が、
前記解析手段での解析結果に基づき周囲音が大きいと判断された場合には、ゲーム音により伝達されるべき情報を、前記体感情報により伝達することを特徴とするゲーム装置。
【請求項５】
ゲーム音を生成するゲーム装置であって、
周囲音を検出する検出手段と、
検出された周囲音を解析する解析手段と、
ゲーム音を生成する音生成手段とを含み、
前記音生成手段が、
周囲音の解析結果に基づいて、ゲーム音に含まれる複数の音の音量バランスを変化させることを特徴とするゲーム装置。
【請求項６】
請求項５において、
前記音生成手段が、
周囲音が大きい場合に、ゲーム音に含まれる音声及び効果音の少なくとも一方の音量を大きくすることを特徴とするゲーム装置。
【請求項７】
ゲーム音を生成するゲーム装置であって、
周囲音を検出する検出手段と、
検出された周囲音を解析する解析手段と、
ゲーム音を生成する音生成手段とを含み、
前記音生成手段が、
周囲音の解析結果に基づいて、ゲーム音に含まれる少なくとも１つの音の音色、音の高さ及び再生速度の少なくとも１つを変化させることを特徴とするゲーム装置。
【請求項８】
請求項７において、
前記音生成手段が、
予め用意された複数の音色、音の高さ、再生速度の中から、検出された周囲音に対応する音色、音の高さ、再生速度を選択することを特徴とするゲーム装置。
【請求項９】
請求項７又は８において、
前記音生成手段が、
周囲音が大きい場合に、ゲーム音に含まれる音声の再生速度を遅くすることを特徴とするゲーム装置。
【請求項１０】
ゲーム音を生成するゲーム装置に用いられる、コンピュータ読み取り可能な情報記憶媒体であって、
検出手段により検出された周囲音を解析する解析手段と、
ゲーム音を生成する音生成手段と、
周囲音の解析結果に基づいて、ゲーム音により行われる情報の伝達を音以外の情報の伝達により補助する補助手段として、
コンピュータを機能させるプログラムを記憶したことを特徴とする情報記憶媒体。
【請求項１１】
ゲーム音を生成するゲーム装置に用いられる、コンピュータ読み取り可能な情報記憶媒体であって、
検出手段により検出された周囲音を解析する解析手段と、
ゲーム音を生成する音生成手段として、
コンピュータを機能させるプログラムを記憶し、
前記音生成手段が、
周囲音の解析結果に基づいて、ゲーム音に含まれる複数の音の音量バランスを変化させることを特徴とする情報記憶媒体。
【請求項１２】
ゲーム音を生成するゲーム装置に用いられる、コンピュータ読み取り可能な情報記憶媒体であって、
検出手段により検出された周囲音を解析する解析手段と、
ゲーム音を生成する音生成手段として、
コンピュータを機能させるプログラムを記憶し、
前記音生成手段が、
周囲音の解析結果に基づいて、ゲーム音に含まれる少なくとも１つの音の音色、音の高さ及び再生速度の少なくとも１つを変化させることを特徴とする情報記憶媒体。